(57)【要約】  第１の導管と第２の導管との間に流体連通をもたらすコネクタアセンブリが提供される。コネクタアセンブリは、第１の連結器、保持装置、および第２の連結器を含む。保持装置は第１の連結器によって担持される。第２の連結器は溝を有する。第１および第２の連結器が結合されると、それらは互いに流体連通し、第１および第２の連結器が誤まってばらばらになることが妨げられるように、保持装置が溝に収容される。
2013534993.tif 000002
【特許請求の範囲】
【請求項１】
コネクタアセンブリであって、
第１の端部および第２の端部を有し、第１および第２の端部の間に延在する第１の流体通路を有する雌型連結器を備え、前記第２の端部は第１の導管に嵌合するように構成され、さらに、
前記雌型連結器によって担持された保持装置を備え、前記保持装置は、前記第１の流体通路内に配置可能な部分を有し、さらに、
前記雌型連結器の前記第１の端部に挿入することができる第１の端部を有する雄型連結器を備え、前記雄型連結器は、第２の導管に嵌合するように構成された第２の端部を有し、前記雄型連結器は、その第１および第２の端部の間に延在する第２の流体通路を有し、前記雄型連結器は溝を有し、
前記雌型連結器および前記雄型連結器が結合され、前記第１および第２の流体通路が互いに連通すると、前記保持装置の前記部分は、前記雄型および雌型連結器の分離を阻止するために前記雄型連結器の前記溝内に収容可能である、コネクタアセンブリ。
【請求項２】
前記雌型連結器の前記第２の端部は、複数のかえし部がその上に配置されたニップルとして構成され、前記第１の導管はホースであり、前記雌型連結器の前記第２の端部は前記ホース内への挿入のために構成される、請求項１に記載のコネクタアセンブリ。
【請求項３】
前記雌型連結器はその中に配置されたスロットを有し、前記スロットは前記第１の流体通路に対して開いており、前記スロットは、前記雌型連結器および前記雄型連結器が結合されると前記溝と軸方向に整列され、前記保持装置の前記部分は、前記雌型連結器および前記雄型連結器が結合されると、前記第１の流体通路内での配置のために、かつ前記雄型連結器の前記溝内への収容のために前記スロットを通って延在可能である、請求項１に記載のコネクタアセンブリ。
【請求項４】
前記雌型連結器は、その外表面に配置された凹部を有し、前記保持装置は端部部分を有し、前記端部部分は、前記保持装置の前記部分が前記雄型連結器の前記溝内に収容される前に前記凹部に着座している、請求項１に記載のコネクタアセンブリ。
【請求項５】
前記雌型連結器は、その外表面から延在するカバーを有し、前記保持装置は端部部分を有し、前記端部部分は、前記保持装置の前記部分が前記雄型連結器の前記溝内に収容された後で前記カバーの内部内に全体的に配置される、請求項１に記載のコネクタアセンブリ。
【請求項６】
前記雌型連結器はその中に配置されたスロットを有し、前記スロットは前記第１の流体通路に対して開いており、前記保持装置は、前記保持装置の前記部分が前記第１の流体通路の外部に配置されかつ前記保持装置の前記部分が前記雄型連結器の前記溝内に収容されていない第１の位置と、前記保持装置の前記部分が前記スロットを通って延在されかつ前記保持装置の前記部分が前記雄型連結器の前記溝内に収容されている第２の位置との間で移動可能である、請求項１に記載のコネクタアセンブリ。
【請求項７】
前記雌型連結器はその中に配置された第１のスロットとその中に配置された第２のスロットとを有し、前記第１および第２のスロットは前記第１の流体通路に対して開いており、前記保持装置は、第１の脚部と第２の脚部とを有する線バネであり、前記第１の脚部または前記第２の脚部は、前記第１の流体通路内に配置可能な前記保持装置の前記部分を構成し、前記線バネは、前記第１および第２の脚部が前記第１の流体通路の外部に配置されかつ前記第１および第２の脚部が前記雄型連結器の前記溝内に収容されていない第１の位置と、ｉ）前記第１および第２の脚部が前記第１の流体通路に関して内方に変位され、ｉｉ）前記第１および第２の脚部が前記第１および第２のスロットを通ってそれぞれ延在し、ｉｉｉ）前記第１および第２の脚部が前記溝内に収容される第２の位置との間で移動可能である、請求項１に記載のコネクタアセンブリ。
【請求項８】
前記線バネは前記第１および第２の脚部の間に延在するブリッジを有し、前記ブリッジは、前記線バネが前記第１の位置にあるときおよび前記線バネが前記第２の位置にあるとき、前記第１の流体通路の外部に配置され、ユーザによって外部から接触可能であり、前記線バネが前記第２の位置に移動されると、前記ブリッジは前記第１の流体通路に向かう方向に移動される、請求項７に記載のコネクタアセンブリ。
【請求項９】
前記雄型連結器はその外表面に配置され、かつ前記雄型連結器の前記第１の端部に関して前記溝の前方に位置決めされた面取り部を有し、前記雌型連結器および前記雄型連結器が結合されると、前記保持装置の前記部分は前記面取り部上に乗り、前記雄型および雌型連結器の分離を阻止するために前記溝内に収容される、請求項１に記載のコネクタアセンブリ。
【請求項１０】
前記雄型連結器の前記第２の端部は、複数のかえし部がその上に配置されたニップルとして構成され、前記第２の導管はホースであり、前記雄型連結器の第２の端部は前記ホース内への挿入のために構成される、請求項１に記載のコネクタアセンブリ。
【請求項１１】
前記雌型連結器はその内表面に配置された切欠きを有し、前記雄型連結器は、その外表面から延在するタブを有し、前記雌型連結器および前記雄型連結器が結合されると、前記タブは前記雌型および雄型連結器の間の回転運動を妨げるために前記切欠きに挿入される、請求項１に記載のコネクタアセンブリ。
【請求項１２】
前記第１の流体通路内に配置された軸受筒をさらに備え、前記軸受筒は、前記雌型連結器への前記雄型連結器の挿入を容易にする、請求項１に記載のコネクタアセンブリ。
【請求項１３】
前記第１の流体通路内に配置されたｏ−リングをさらに備え、前記ｏ−リングは、前記雌型連結器および前記雄型連結器が結合されると、前記雌型および雄型連結器の間に封止を形成する、請求項１に記載のコネクタアセンブリ。
【請求項１４】
コネクタアセンブリであって、
第１の端部および第２の端部を有し、かつ第１および第２の端部の間に延在する第１の流体通路を有する第１の連結器を備え、前記第２の端部は第１の導管に嵌合するように構成され、前記第１の連結器は前記第１の流体通路に対して開いているスロットを有し、
さらに、第１の端部および第２の端部を有し、かつその第１および第２の端部の間に延在する第２の流体通路を有する第２の連結器を備え、前記第２の連結器の前記第２の端部は第２の導管に嵌合するように構成され、前記第２の連結器は溝を有し、さらに、
前記第１の連結器によって担持された保持装置を備え、前記保持装置は、前記第１の連結器の前記スロットを通って延在可能な部分を有し、
前記第１の連結器および前記第２の連結器が結合され、前記第１および第２の流体通路が互いに連通すると、前記スロットおよび前記溝は互いに整列され、前記保持装置の前記部分は前記スロットを通って延在され、前記第１および第２の連結器の分離を阻止するために前記第２の連結器の前記溝内に収容される、コネクタアセンブリ。
【請求項１５】
前記第１の連結器は雌型連結器であり、前記第２の連結器は雄型連結器であり、前記第１の連結器および前記第２の連結器が結合され、前記第１および第２の流体通路が互いに連通すると、前記雄型連結器の前記第１の端部は前記雌型連結器の前記第１の端部に挿入される、請求項１４に記載のコネクタアセンブリ。
【請求項１６】
前記第１の連結器はその中に配置された第２のスロットを有し、前記第２のスロットは前記第１の流体通路に対して開いており、前記保持装置は、第１の脚部と第２の脚部とを有する線バネであり、前記第１の脚部または前記第２の脚部は、前記第２の連結器の前記溝内に収容可能な前記保持装置の前記部分を構成し、前記線バネは、前記第１および第２の脚部が前記第２の連結器の前記溝内に収容されていない第１の位置と、ｉ）前記第１および第２の脚部が前記第１の流体通路に関して内方に変位され、ｉｉ）前記第１および第２の脚部が前記第１および第２のスロットを通ってそれぞれ延在し、ｉｉｉ）前記第１および第２の脚部が前記第２の連結器の前記溝内に収容される第２の位置との間で移動可能である、請求項１４に記載のコネクタアセンブリ。
【請求項１７】
前記線バネは前記第１および第２の脚部の間に延在するブリッジを有し、前記ブリッジは、前記第１の流体通路の外部に配置され、かつ前記線バネが前記第１の位置にあり前記線バネが前記第２の位置にあるときユーザによって外部から接触可能であり、前記線バネが前記第２の位置に移動されると、前記ブリッジは前記第１の流体通路に向かう方向に移動される、請求項１６に記載のコネクタアセンブリ。
【請求項１８】
前記第２の連結器はその外表面に配置され、かつ前記第２の連結器の前記第１の端部に関して前記溝の前方に位置決めされた面取り部を有し、前記第１の連結器および前記第２の連結器が結合されると、前記保持装置の前記部分は前記面取り部上に乗り、前記第１および第２の連結器の分離を阻止するために前記溝内に収容される、請求項１４に記載のコネクタアセンブリ。
【請求項１９】
コネクタアセンブリであって、 
第１の端部および第２の端部を有し、かつ第１および第２の端部の間に延在する第１の流体通路を有する第１の連結器を備え、前記第２の端部は第１の導管に嵌合するように構成され、前記第１の連結器はスロットを有し、さらに、 
第１の端部および第２の端部を有し、かつその第１および第２の端部の間に延在する第２の流体通路を有する第２の連結器を備え、前記第２の連結器の前記第２の端部は第２の導管に嵌合するように構成され、前記第２の連結器は溝を有し、その外表面に配置され、かつ前記第２の連結器の前記第１の端部に関して前記溝の前方に位置決めされた面取り部を有し、さらに、
前記第１の連結器の少なくとも一部の周りに外部から担持される線バネを備え、前記線バネは、前記第１の連結器の前記スロットを通って延在可能でありかつ前記第２の連結器の前記溝内に収容可能な脚部を有し、
前記第１および第２の連結器が結合され、前記第１および第２の流体通路が互いに連通する第１の状況において、前記線バネの前記脚部は、ｉ）前記第１の連結器の前記スロットを通って延在され、ｉｉ）前記第２の連結器の前記面取り部の上に乗り、ｉｉｉ）前記第１および第２の連結器の分離を阻止するために前記第２の連結器の前記溝内に収容され、前記第１および第２の連結器が結合され、前記第１および第２の流体通路が互いに連通する第２の状況において、前記線バネは、前記線バネの前記脚部が前記第１の流体通路の外部に配置され、前記脚部が前記第２の連結器の前記溝内に収容されていない第１の位置から、前記線バネの前記脚部が前記第１の連結器の前記スロットを通って延在され、前記第１および第２の連結器の分離を阻止するために前記第２の連結器の前記溝内に収容される第２の位置に移動される、コネクタアセンブリ。
【発明の詳細な説明】
【技術分野】
【０００１】
本発明は、実質的に耐漏洩性の接続で流体導管を接合するクイックコネクタアセンブリに関する。
【背景技術】
【０００２】
発明の背景
本章は、必ずしも先行技術ではない、本開示に関連する背景情報を示す。２本の流体ラインを接合する接続継ぎ手が当該分野において現在知られている。しかし、そのような接続継ぎ手には制約がないわけではなかった。
【発明の概要】
【発明が解決しようとする課題】
【０００３】
いくつかの現在の接続継ぎ手の１つの制約は、流体ラインの一方または両方を互いに固定するねじを締めるための、ねじ回しなどの工具を使用する必要性である。いくつかの現在の接続継ぎ手の別の制約は、実際には接合されておらずしたがってライン内でのかつ接続継ぎ手を通る流体の伝達中に分離してしまう可能性がある場合に、流体接続ラインが互いにしっかりと接合されているという印象をユーザに与える傾向がある点である。
【課題を解決するための手段】
【０００４】
発明の概要
発明の一実施例によれば、雌型連結器と保持装置と雄型連結器とを含むコネクタアセンブリが提供される。雌型連結器は、第１の端部を有し、第２の端部を有する。雌型連結器は、第１および第２の端部の間に延在する第１の流体通路を有する。第２の端部は、第１の導管に嵌合するように構成される。保持装置は、雌型連結器によって担持される。保持装置は、第１の流体通路内に配置することができる部分を有する。雄型連結器は、雌型連結器の前記第１の端部に挿入することができる第１の端部を有する。雄型連結器は、第２の導管に嵌合するように構成された第２の端部を有する。雄型連結器は、雄型連結器の第１および第２の端部の間に延在する第２の流体通路を有する。雄型連結器は溝を有する。雌型連結器および雄型連結器が結合され、第１および第２の流体通路が互いに連通すると、前記保持装置の当該部分は、前記雄型および雌型連結器の分離を阻止するために前記雄型連結器の前記溝内に収容することができる。
【０００５】
発明の別の実施例によれば、第１の連結器と第２の連結器と保持装置とを含むコネクタアセンブリが提供される。第１の連結器は、第１の端部を有し、第２の端部を有する。第１の連結器は、第１および第２の端部の間に延在する第１の流体通路を有する。第２の端部は第１の導管に嵌合するように構成される。第１の連結器は、前記第１の流体通路に対して開いているスロットを有する。第２の連結器は、第１の端部および第２の端部を有する。第２の連結器は、第２の連結器の第１および第２の端部の間に延在する第２の流体通路を有する。第２の連結器の前記第２の端部は、第２の導管に嵌合するように構成される。第２の連結器は溝を有する。保持装置は第１の連結器によって担持され、保持装置は、前記第１の連結器の前記スロットを通って延在することができる部分を有する。第１の連結器および前記第２の連結器が結合され、前記第１および第２の流体通路が互いに連通すると、前記スロットおよび前記溝は互いに整列され、前記保持装置の当該部分は前記スロットを通って延在することができ、前記第１および第２の連結器の分離を阻止するために溝内に収容されることができる。
【０００６】
発明のさらに別の実施例によれば、第１の連結器と第２の連結器と線バネとを含むコネクタアセンブリが提供される。第１の連結器は、第１の端部を有し、第２の端部を有する。第１の連結器は、第１および第２の端部の間に延在する第１の流体通路を有する。第２の端部は、第１の導管に嵌合するように構成される。第１の連結器はスロットを有する。第２の連結器は、第１の端部を有し、第２の端部を有する。第２の連結器は、第２の連結器の第１および第２の端部の間に延在する第２の流体通路を有する。第２の連結器の前記第２の端部は、第２の導管に嵌合するように構成される。第２の連結器は溝を有し、第２の連結器の外表面に配置された面取り部を有する。面取り部は、前記第２の連結器の前記第１の端部に関して前記溝の前方に位置決めされる。線バネは、第１の連結器の一部以上の周りに外部から担持される。前記線バネは、前記第１の連結器の前記スロットを通って延在することができかつ前記第２の連結器の前記溝内に収容することができる脚部を有する。第１および第２の連結器が結合され、前記第１および第２の流体通路が互いに連通する第１の状況において、前記線バネの前記脚部は前記第１の連結器の前記スロットを通って延在され、線バネの前記脚部は前記第２の連結器の前記面取り部の上に乗り、線バネの前記脚部は、前記第１および第２の連結器の分離を阻止するために前記第２の連結器の前記溝内に収容される。第１および第２の連結器が結合され、前記第１および第２の流体通路が互いに連通する第２の状況において、前記線バネは、第１の位置から第２の位置に移動される。第１の位置では、前記線バネの前記脚部は前記第１の流体通路の外部に配置され、前記脚部は前記第２の連結器の前記溝内に収容されていない。第２の位置では、前記線バネの前記脚部は前記第１の連結器の前記スロットを通って延在され、前記第１および第２の連結器の分離を阻止するために前記第２の連結器の前記溝内に収容される。
【０００７】
図面の簡単な説明
発明の好ましい典型的な実施例について添付の図面とともに以下に説明する。同じ符号は同じ要素を示す。
【図面の簡単な説明】
【０００８】
【図１】雌型連結部材の一実施例の斜視図である。
【図２】図１の雌型連結部材の斜視図である。
【図３】図１の雌型連結部材の斜視図である。
【図４】図１の雌型連結部材の正面図である。
【図５】図１の雌型連結部材の正面図である。
【図６】図１の雌型連結部材の背面図である。
【図７】図１の雌型連結部材の斜視図である。
【図８】図１の雌型連結部材の左側図である。
【図９】図１の雌型連結部材の左側図である。
【図１０】図１の雌型連結部材の右側図である。
【図１１】図１の雌型連結部材の上面図である。
【図１２】図１の雌型連結部材の底面図である。
【図１３】図１の雌型連結部材のハウジングの一部および保持装置の二つの位置の斜視図である。
【図１４】保持装置の開いた位置およびロックされた位置を図示する、図１の雌型連結部材の斜視背面図である。
【図１５】図１の雌型連結部材のハウジングの一部および保持装置の二つの位置の断面図である。
【図１６】内側Ｏリング、軸受筒および保持装置を図示する、図１の雌型連結部材の断面図である。
【図１７】内側Ｏリング、軸受筒および保持装置を図示する、図１の雌型連結部材の断面図である。
【図１８】図１の雌型連結部材に接続可能な雄型連結部材の一実施例の斜視図である。
【図１９】図１８の雄型連結部材の側面図である。
【図２０】図１８の雄型連結部材の断面図である。
【図２１】図１の雌型連結部材にロックされた図１８の雄型連結部材を図示する断面図である。
【発明を実施するための形態】
【０００９】
好ましい実施例の詳細な説明
図面の図１〜図２１を参照して、本開示の実施例の教示を示す。まず図１を参照して、雌型連結部材または雌型連結器または第１の連結器１０は、図１６に図示される雄型連結部材、雄型連結器または第２の連結器１２をしっかりとロックするかまたは連結して、クイックコネクタアセンブリまたはコネクタアセンブリ１４（図１９）を形成するための様々な方法で図示される。続いて、図１および図２によれば、貫通孔または流体通路を有して中空であり得る雌型連結部材１０のハウジング１６が、雄型連結部材１２のための収容部１８をもたらす。Ｏリングであり得る封止材２０は、円形かつ環状の弾性的な表面を提供し、それに対して、後で示すように雄型連結部材１２が封止し得る。ワイヤまたはワイヤのような原料または線バネから形成されたｕ形状の金属片であり得る保持装置２２が雌型連結部材１０の内部および周りの様々な位置に移動し、雄型連結部材１２を雌型連結部材１０内にロックするかまたはロック解除し得る。保持装置２２は、保持装置２２の残りの部分に対して突出した部分またはブリッジ２４を有し、指もしくはねじ回しのようなレバーアームまたは他の方法などにより保持装置２２をハウジング１６から取外すためにユーザが外部から接触可能な単純な機械的装置を提供し得る。
【００１０】
図３は、保持装置端部２６および保持装置端部２８（図６）が各々カバー３０，３２内部もしくは下方に存在するかまたは保持装置端部２６，２８を保護するように遮蔽するように、保持装置２２がその完全に装着された位置にある状態の雌型連結部材１０を図示する。カバー３０，３２は止め具としても機能し得る。止め具は、端部２６，２８を停止させるかまたは移動するのを防ぎ、ゆえに第１および第２の脚部としても知られる突起（prong）６４，６６がハウジング１６の内部容積および流体通路内へとより深く移動するのを防ぐための構造である。また、保持装置端部２６，２８を保護することにより、ハウジング１６に接触し、保持装置２２をその装着された位置から誤まって取外し、それにより雄型連結部材１２を雌型連結部材１０から取外し得るいずれかの材料に保持装置端部２６，２８が接触する可能性は低い。図４は、雌型連結部材１０の雄型端部３４を図示する。より具体的には、雄型端部３４は、雌型連結部材１０および雄型連結部材１２を介して流体を搬送するためにかえしのついたフランジ３８を有するニップル上に挿入され得るゴムホースなどの可撓性の導管３６を収容し得る。雄型端部３４には、導管３６がかえしのついたフランジ３８上に押付けられたときに導管３６が停止してフランジ表面４２に当接し得るように、導管停止フランジ４０が搭載され得る。図４には、保持装置２２がハウジング１６に完全に装着されたときに保持装置端部２６がハウジング１６のカバー３０内にどのように存在するかも図示されている。より具体的には、保持装置２２がハウジング１６に完全に装着されるかまたは挿入されると、保持装置２２の突出した部分２４は、図４に図示されるように、保持装置フランジ４４の端部４６を越えてまたはその上に突出することなく高い保持装置フランジ４４の横または後ろに位置するが、低い保持装置フランジ５０の端部４８を越えて突出する。突出した部分２４はフランジ４４の端部４６にまたはその下に位置するが、突出した部分２４は、保持装置フランジ５０の端部４８の上方にまたは端部４８を越えて位置し、人間の指またはてこ装置が保持装置２２をハウジング１６から外すかまたは引出すことを可能にする。フランジ端部４６，４８がハウジング１６の全体的な外表面５２上に突出するため、フランジ４４，５０は、保持装置２２が破損しないように、かつハウジング１６の端面５４に対して平行な異なる位置から移動しないように保護する。
【００１１】
図４はハウジング１６内の装着されたまたは第１の位置にある保持装置２２を図示しているが、図５は、保持装置２２がその装着された位置から引出されたまたは引張られ、その外されたまたは開いたまたは第２の位置にあるハウジング１６を図示する。より具体的には、保持装置２２がその装着された位置にあるとき、端部２６，２８はそれらのそれぞれのカバー３０，３２内に存在する。しかし図５に図示されるように、その開いた位置にあるときは、保持装置端部２６は第１のハウジング溝または凹部５８に存在し、保持装置端部２８は第２のハウジング溝または凹部６０（図６）に存在する。保持装置２２が１つしか存在せず、いずれの時点でも端部２８の位置は１つしか生じ得ないが、明瞭にするため、図６は、保持装置２２の取り得る位置を同時に図示するために、溝６０内にある端部２８とカバー３２下にある端部２８とを図示する。
【００１２】
図８および図９は、雌型連結部材１０の左側図を図示し、より具体的には、図８は引出されたまたは開いた位置にある保持装置２２を図示し、図の９は装着されたまたはロックされた位置にある保持装置２２を図示する。図８に図示されるように、保持装置２２が引出されるかまたは開くと、保持装置はハウジング貫通スロットまたはスロット５６（図５）を通ってハウジング１６の内部および流体通路へと突出せず延在しないが、図９に図示されるように、保持装置２２が装着されると、保持装置２２の一部がハウジング１６の内部および流体通路へと突出し、延在し、配置される。スロット５６はハウジング１６の流体通路に対して開いており、ハウジング１６の流体通路と連通する。その上、保持装置２２がハウジング１６内に装着されると、保持装置２２の突出した部分２４は、保持装置フランジ４４とフランジ５０との間に固定され、長手軸６２（図４）と平行な移動などの保持装置２２の移動を妨げる。保持装置フランジ４４，５０は保持装置２２の移動を妨げるが、ハウジング貫通スロット５６も、長手軸６２と平行な方向における保持装置２２の移動を妨げる。また、保持装置２２が装着されると、端部２６，２８は、図９に図示されるようにカバー３０，３２によって部分的に規定された内部内にそれぞれ存在する。
【００１３】
図１０は雌型連結部材１０の右側図であり、保持装置２２が２つの位置に存在することを図示する。より具体的には、保持装置２２は、その開いたまたは引出されたまたは第１の位置と、その装着されたまたは第２の位置とに図示される。その装着された位置にあるとき、保持装置２２の突出した部分２４は、保持装置フランジ４４の端部４６と突出した部分２４とが互いに等しい高さにあり得るように、しかし保持装置フランジ５０の最も高い部分が保持装置２２の突出した部分２４の最も高い部分の下またはそれより低い高さに存在するように、保持装置フランジ４４にすぐ隣接して位置決めされる。
【００１４】
図１１は、保持装置２２がその開いたまたは後退した位置にあるがまだハウジング１６に取付けられている（たとえばバネ力により接触している）ときの保持装置２２の位置を図示する、雌型連結部材１０の上面図である。より具体的には、端部２６，２８がハウジング１６の外表面に接触したときに第１の突起６４または第１の脚部６４と保持装置２２の第２の突起６６または第２の脚部６６とが互いから押し離される際にバネとして機能するように、保持装置２２は金属で作製され得る。ハウジング１６の外表面上の保持装置２２の端部２６，２８の位置にかかわらず、端部２６，２８は常にハウジング１６に接触し、ハウジング１６上に力を及ぼす。引き続き図１１によれば、保持装置２２がその後退した位置にあるため、端部２６，２８はカバー３０，３２の下には図示されず、端部２６は溝５８に配置され、端部２８は溝６０に配置される。保持装置２２をその開いたまたは後退した位置に図示している点で図１１と同様に、図１２は雌型連結部材１０の底面図である。より具体的には、保持装置２２および保持装置２２の突出した部分２４は、保持装置２２が中心長手軸６２と平行な方向に移動するのを妨げるために保持装置フランジ４４，５０の間に位置して図示される。
【００１５】
ハウジング１６上のおよびハウジング１６を通る、保持装置２２の取り得る位置をよりよく例示するために、図１３は、保持装置２２およびハウジング１６の一部のみを図示し、雌型連結部材１０部分の残りは図１３から除かれている。より具体的には、図１３は、保持装置２２をその２つの考えられる位置に図示する。まず保持装置２２は、保持装置突起６４，６６の端部２６，２８が、図１３に図示されるように見たときにハウジング１６のほぼ３時および９時の位置にあるハウジング１６の対応する溝５８，６０にそれぞれ存在する開いたまたは後退した位置に位置決めされ得る。保持装置２２を移動させ、保持装置端部２８，２８の位置をロック位置に変更するには、バネ加圧された保持装置突起６４，６６をともに互いに押付けさせ、それによりそれぞれのカバー３０，３２に移動させるように、矢印６８に沿った方向およびハウジングの流体通路に向かう方向に保持装置２２を上方移動させ得る。端部２６がカバー３０内にあり、端部２８がカバー３２内にあるとき、突起６４および突起６６は、ハウジング１６のハウジング貫通スロット５６，５７（図５および図６）を通って通過し延在することによって、ハウジングの内部容積７０または流体通路に移動する。
【００１６】
図１３および図１４は、金属から作製される線バネ保持装置などの、弾性または跳ね返り特性を有する保持装置２２の使用を示す。より具体的には、保持装置２２がその後退した位置にあるとき、保持装置端部２８は溝６０内に位置する。ハウジング貫通スロット５７の両側にわたる溝６０が壁７２とスロープ７４とによって形成され、端部２８が壁７２とスロープ７４とに接触するため、外部の力を受けない限り、雌型連結部材１０の位置にかかわらず、保持装置端部２８を溝６０から移動させることはできない。したがって、端部２８が実質的に長手方向の中心線６２に向かって力を及ぼすため、端部２８を溝６０から移動させるには異なる方向の力が必要とされる。端部２８を溝６０からハウジング貫通スロット５７の端部まで上向きに、かつカバー３２の下に移動させるには、図１３と合わせて説明したように、矢印６８に沿った力または同様の力が必要とされる。端部２８を溝６０からカバー３２の下へ、スロット端部７６に近接してまたはスロット端部７６に移動させるためにその引出された位置にある保持装置２２に外力が加えられると、保持装置端部２８は、カバー３２下に移る前に、スロープ７４に沿ってその上を、かつハウジング外表面７８上を通過する。保持装置２２を移動させ始めるには、人間の手または指によって与えられるような外力が必要であるが、保持装置２２が動作に入ると、保持装置２２の跳ね返りまたは弾性性質が端部２８をカバー３２下に移動させるのを補助する。
【００１７】
図１５を参照して、保持装置端部２６，２８が溝５８，６０にあるときに矢印６８に沿った力が保持装置２２の突出した部分２４に加えられると、保持装置端部２６，２８が溝５８，６０から移動し始め、それらのそれぞれのカバー３０，３２に向かって移動し、カバー３０，３２は端部２６，２８の止め具または障壁として機能し得る。端部２６，２８が移動するにつれて、保持装置突起６４，６６はそれぞれのハウジング貫通スロット５６，５７内を通って移動し、端部２６，２８はハウジング表面５２上を摺動し、接触する。保持装置突起６４，６６が弾性かつ可撓性であることから、突起６４，６６は、端部２６，２８がそれらのそれぞれの溝７３，７４から移動するときに端部２６，２８が傾斜した表面７３，７４に沿って移動するにつれて、それらのあらかじめ曲げられた位置に跳ね返るかまたは弾性的に戻るための復元力を保持する。したがって、各端部２６，２８がそのそれぞれの溝７３，７４から移動するにつれて、突起６４，６６は互いから離れる方に移動する。すなわち、突起６４は矢印８０に沿って移動し、突起６６は矢印８２に沿って移動する。突起６４，６６が互いから離れる方にさらに移動し、それらの間の距離が増大するにつれて、それらの間のそのような距離を増大させるのに必要な力も増大し、復元力または蓄えられる跳ね返り力がより大きくなる。突起６４，６６の端部２６，２８がハウジング表面の頂点８８，９０に到達すると復元力が最大となり、保持装置２２をカバー３０，３２に向かってさらに付勢するために必要とされる力は小さくなる。頂点８８，９０を通過した後は、端部２６，２８がカバー３０，３２に向かって進むにつれて端部２６，２８が互いに向かって移動し始めるため、端部２６，２８をそれらのそれぞれの頂点８８，９０の向こうにまたは通り越えて移動させるのに必要とされる力が小さくなる。端部２６，２８の間の直線距離が小さくなるにつれて、突起６４，６６に蓄えられた力を用いて端部２６，２８を互いに接近させ、かつハウジングの流体通路に向かって内方に導く。したがって、端部２６，２８をカバー３０，３２に移動させるために必要とされる矢印６８によって示される力は、各端部２６，２８がそれぞれのカバー３０，３２の下に来るまで次第に小さくなる。端部２６，２８がそれぞれのカバー３０，３２の下に来ると、後で示されるように、突起６４，６６がハウジング１６の内部容積７０内に存在し、雄型連結部材１２を雌型連結部材１０内の適所にしっかりとロックする。
【００１８】
図１６および図１７は雌型連結部材１０の断面図を図示し、限定はしないが封止材またはＯリング２０、軸受筒（ブッシング）９２、および保持装置２２の突起６４を含む空間的関係を示す。図１６は、雄型連結部材１２が雌型連結部材１０から取外されたときに軸受筒９２を雌型連結部材１０内に保持するためにハウジング１６の内部容積７０に突出する対応する小さい環状のリッジ部９６に係合し噛合う小さい環状の溝９４を有する軸受筒９２の外径を図示する。引き続き図１６を参照して、雌型連結部材１０は、第１の内部ボア９８、移行ボア１００、および第１の内部ボア９８と移行ボア１００との間に位置する中間ボア１０２を示す。
【００１９】
図１８、図１９および図２０は、何らかの方法で雌型連結部材１０に相補的に構成され、かつ何らかの方法で雌型連結部材１０と連携して動作する雄型連結部材１２を図示する。より具体的には、雌型連結部材１０と雄型連結部材１２とを結合するために、雄型連結部材１２の挿入端部１０８が雌型連結部材１０の収容端部１１０（図１６）に挿入される。保持装置２２の突起６４，６６が雄型連結部材１２の止まり環状溝または溝１１２にカチっとまたはパチンと嵌まると、雄型連結部材１２は雌型連結部材１０にしっかりと挿入され、ロックされる。図２１は、雌型連結部材１０内に固定された雄型連結部材１２を図示する。
【００２０】
雄型連結部材１２のさらなる説明において、図１８は、雄型連結部材１２および雌型連結部材１０のロック接合中に保持装置２２がその内部に存在する止まり溝１１２を図示する。ロック接合中には、軸受筒９２（図１６）の面取りされた表面１１４が、雄型連結部材１２上に配置された面取りされた表面または面取り部１１６と接触する。さらに、雄型連結部材１２が挿入されると、雄型連結部材１２の突き出たタブ１１８，１２０が雌型連結部材１０の切欠き１０４，１０６（図１および図１７）と整列する。また、雄型連結部材１２が雌型連結部材１０に挿入されると、溝１１２がスロット５６と軸方向に整列される。
【００２１】
雄型連結部材１２は、２つの方法または状況の一方において雌型連結部材１０内に固定され得る。第１の方法では、保持装置２２は、端部２６，２８が雌型連結部材１０の溝５８，６０内に存在する状態で位置し得、次いで雄型連結部材１２が雌型連結部材１０に挿入され得る。次いで、保持装置端部２６，２８がそれぞれのカバー３０，３２の下に存在するように、保持装置２２が押し上げられ得る。そのような挿入方法では、突起６４，６６は雄型連結部材１２の止まり溝１１２内に存在することになる。第２の方法では、端部２６，２８がそれらのそれぞれのカバー３０，３２の下に存在するように、保持装置２２は雌型連結部材１０にすでに位置決めされ得る。保持装置２２がそのように位置決めされた状態で、雌型連結部材１０と雄型連結部材１２との両方を若干振動させるのに伴って「パチンという音」または「カチっという音」が聞こえるまで、雄型連結部材１２の挿入端部１０８が雌型連結部材１０の収容端部１１０に押込まれ得る。挿入中に、面取りされた表面１１６は、面取りされた表面１１６上に突起６４，６６を登らせ、突起６４，６６が雄型連結部材１２の挿入端部１０８に干渉しないように雌型連結部材１０の内部から押出されるように突起６４，６６を拡張させる。すなわち、突起６４，６６は雌型連結部材１０の内部容積から押出される。突起６４，６６が完全に面取りされた表面１１６上を通過するときにパチンという音またはカチっという音が聞こえた後、突起６４，６６は雌型連結部材１０の内部容積内に跳ね返り、したがって突起６４，６６は雄型連結部材１２の止まり溝１１２内に固定して存在し収容される。両方の挿入方法では、タブ１１８，１２０が切欠き１０４，１０６内に収容され、互いに連結されたときの雄型連結部材１２と雌型連結部材１０との回転運動を妨げる。Ｏリングまたは封止手段２０は、雄型連結部材１２と雌型連結部材１０との間に流体抵抗封止をもたらすように弾性であり、かつ圧縮可能である。
【００２２】
雄型連結部材１２を雌型連結部材１０から外すには、端部２６，２８がカバー３０，３２の下からハウジング１６の溝５８，６０内に移動するまで、つまり図４に図示した保持装置２２の位置から図５の位置まで、保持装置２２の突出した部分２４が単純に雌型連結部材１０から引張られ、雄型連結部材１２が雌型連結部材１０から摺動することが可能となる。
【００２３】
図２０は、雄型連結部材１２の断面図において、かえしのついたフランジ１２４と導管停止フランジ１２６とを図示する。かえしのついたフランジ１２４および導管停止フランジ１２６は、雌型連結部材１０に関して上記した対応する部分と同じように機能する。かえしのついたフランジ１２４および導管停止フランジ１２は、可撓性の導管（図示せず）を雄型連結部材１２に固定するのを補助する。
【００２４】
上記の説明は発明の定義ではなく、発明の１つ以上の好ましい典型的な実施例の説明であることが理解されるべきである。本発明は、ここに開示された特定の実施例に限定されず、添付の請求項によってのみ規定される。さらに、上記の説明に含まれる記述は特定の実施例に関連し、用語または語句が上で特に定義される場合以外は、発明の範囲に対する、または請求項で使用される用語の定義に対する限定と解釈されるべきではない。開示された実施例の様々な他の実施例ならびに様々な変更および修正が当業者にとっては明らかであろう。すべてのそのような他の実施例、変更および修正は、添付の請求項の範囲内にあることが意図される。
【００２５】
本明細書および請求項において使用される限りにおいて、用語「たとえば」、「などの」という用語、ならびに「備え」、「有し」、「含み」という動詞およびそれらの他の動詞形は、１つ以上の構成要素または他の要素の列挙と合わせて使用されると、各々オープンエンドであると解釈され、当該列挙が他の付加的な構成要素または要素を排除するものであると考えるべきではないことを意味する。他の用語は、異なる解釈を必要とする文脈で使用されない限り、それらの最も広い合理的な意味を用いて解釈されるべきである。
【図１】
2013534993.tif 000003
【図２】
2013534993.tif 000004
【図３】
2013534993.tif 000005
【図４】
2013534993.tif 000006
【図５】
2013534993.tif 000007
【図６】
2013534993.tif 000008
【図７】
2013534993.tif 000009
【図８】
2013534993.tif 000010
【図９】
2013534993.tif 000011
【図１０】
2013534993.tif 000012
【図１１】
2013534993.tif 000013
【図１２】
2013534993.tif 000014
【図１３】
2013534993.tif 000015
【図１４】
2013534993.tif 000016
【図１５】
2013534993.tif 000017
【図１６】
2013534993.tif 000018
【図１７】
2013534993.tif 000019
【図１８】
2013534993.tif 000020
【図１９】
2013534993.tif 000021
【図２０】
2013534993.tif 000022
【図２１】
2013534993.tif 000023
【手続補正書】
【提出日】平成24年5月8日(2012.5.8)
【手続補正１】
【補正対象書類名】明細書
【補正対象項目名】００１５
【補正方法】変更
【補正の内容】
【００１５】
ハウジング１６上のおよびハウジング１６を通る、保持装置２２の取り得る位置をよりよく例示するために、図１３は、保持装置２２およびハウジング１６の一部のみを図示し、雌型連結部材１０部分の残りは図１３から除かれている。より具体的には、図１３は、保持装置２２をその２つの考えられる位置に図示する。まず保持装置２２は、保持装置突起６４，６６の端部２６，２８が、図１３に図示されるように見たときにハウジング１６のほぼ３時および９時の位置にあるハウジング１６の対応する溝５８，６０にそれぞれ存在する開いたまたは後退した位置に位置決めされ得る。保持装置２２を移動させ、保持装置端部２６，２８の位置をロック位置に変更するには、バネ加圧された保持装置突起６４，６６をともに互いに押付けさせ、それによりそれぞれのカバー３０，３２に移動させるように、矢印６８に沿った方向およびハウジングの流体通路に向かう方向に保持装置２２を上方移動させ得る。端部２６がカバー３０内にあり、端部２８がカバー３２内にあるとき、突起６４および突起６６は、ハウジング１６のハウジング貫通スロット５６，５７（図５および図６）を通って通過し延在することによって、ハウジングの内部容積７０または流体通路に移動する。
【手続補正２】
【補正対象書類名】特許請求の範囲
【補正対象項目名】全文
【補正方法】変更
【補正の内容】
【特許請求の範囲】
【請求項１】
コネクタアセンブリであって、
第１の端部および第２の端部を有し、第１および第２の端部の間に延在する第１の流体通路を有する雌型連結器を備え、前記第２の端部は第１の導管に嵌合するように構成され、前記雌型連結器は、前記雌型連結器の外表面に配置された第１の保持装置フランジを有し、前記雌型連結器は、前記外表面に配置された第２の保持装置フランジを有し、さらに、
前記雌型連結器によって担持された保持装置を備え、前記保持装置は、前記第１の流体通路内に配置可能な部分を有し、前記保持装置は、前記流体通路の外部に配置され、かつユーザが外部から接触可能なブリッジを有し、さらに、
前記雌型連結器の前記第１の端部に挿入することができる第１の端部を有する雄型連結器を備え、前記雄型連結器は、第２の導管に嵌合するように構成された第２の端部を有し、前記雄型連結器は、その第１および第２の端部の間に延在する第２の流体通路を有し、前記雄型連結器は溝を有し、
前記雌型連結器および前記雄型連結器が結合され、前記第１および第２の流体通路が互いに連通すると、前記保持装置の前記部分は、前記雄型および雌型連結器の分離を阻止するために前記雄型連結器の前記溝内に収容可能であり、前記保持装置の前記ブリッジは前記第１および第２の保持装置フランジの間に固定され、前記ブリッジは前記第１の保持装置フランジの径方向外側端部の径方向内側に位置し、前記ブリッジは、前記コネクタアセンブリの使用中に前記第１の保持装置フランジによって誤まって取外されないように保護される、コネクタアセンブリ。
【請求項２】
前記雌型連結器の前記第２の端部は、複数のかえし部がその上に配置されたニップルとして構成され、前記第１の導管はホースであり、前記雌型連結器の前記第２の端部は前記ホース内への挿入のために構成される、請求項１に記載のコネクタアセンブリ。
【請求項３】
前記雌型連結器はその中に配置されたスロットを有し、前記スロットは前記第１の流体通路に対して開いており、前記スロットは、前記雌型連結器および前記雄型連結器が結合されると前記溝と軸方向に整列され、前記保持装置の前記部分は、前記雌型連結器および前記雄型連結器が結合されると、前記第１の流体通路内での配置のために、かつ前記雄型連結器の前記溝内への収容のために前記スロットを通って延在可能である、請求項１に記載のコネクタアセンブリ。
【請求項４】
前記雌型連結器は、その外表面に配置された凹部を有し、前記保持装置は端部部分を有し、前記端部部分は、前記保持装置の前記部分が前記雄型連結器の前記溝内に収容される前に前記凹部に着座している、請求項１に記載のコネクタアセンブリ。
【請求項５】
前記雌型連結器は、その外表面から延在するカバーを有し、前記保持装置は端部部分を有し、前記端部部分は、前記保持装置の前記部分が前記雄型連結器の前記溝内に収容された後で前記カバーの内部内に全体的に配置される、請求項１に記載のコネクタアセンブリ。
【請求項６】
前記雌型連結器はその中に配置されたスロットを有し、前記スロットは前記第１の流体通路に対して開いており、前記保持装置は、前記保持装置の前記部分が前記第１の流体通路の外部に配置されかつ前記保持装置の前記部分が前記雄型連結器の前記溝内に収容されていない第１の位置と、前記保持装置の前記部分が前記スロットを通って延在されかつ前記保持装置の前記部分が前記雄型連結器の前記溝内に収容されている第２の位置と、の間で移動可能である、請求項１に記載のコネクタアセンブリ。
【請求項７】
前記雌型連結器はその中に配置された第１のスロットとその中に配置された第２のスロットとを有し、前記第１および第２のスロットは前記第１の流体通路に対して開いており、前記保持装置は、第１の脚部と第２の脚部とを有する線バネであり、前記第１の脚部または前記第２の脚部は、前記第１の流体通路内に配置可能な前記保持装置の前記部分を構成し、前記線バネは、前記第１および第２の脚部が前記第１の流体通路の外部に配置されかつ前記第１および第２の脚部が前記雄型連結器の前記溝内に収容されていない第１の位置と、ｉ）前記第１および第２の脚部が前記第１の流体通路に関して内方に変位され、ｉｉ）前記第１および第２の脚部が前記第１および第２のスロットを通ってそれぞれ延在し、ｉｉｉ）前記第１および第２の脚部が前記溝内に収容される第２の位置との間で移動可能である、請求項１に記載のコネクタアセンブリ。
【請求項８】
前記ブリッジは前記第１および第２の脚部の間に延在し、前記ブリッジは、前記線バネが前記第１の位置にあるときおよび前記線バネが前記第２の位置にあるとき、前記第１の流体通路の外部に配置され、ユーザによって外部から接触可能であり、前記線バネが前記第２の位置に移動されると、前記ブリッジは前記第１の流体通路に向かう方向に移動される、請求項７に記載のコネクタアセンブリ。
【請求項９】
前記雄型連結器はその外表面に配置され、かつ前記雄型連結器の前記第１の端部に関して前記溝の前方に位置決めされた面取り部を有し、前記雌型連結器および前記雄型連結器が接合されると、前記保持装置の前記部分は前記面取り部上に乗り、前記雄型および雌型連結器の分離を阻止するために前記溝内に収容される、請求項１に記載のコネクタアセンブリ。
【請求項１０】
前記雄型連結器の前記第２の端部は、複数のかえし部がその上に配置されたニップルとして構成され、前記第２の導管はホースであり、前記雄型連結器の第２の端部は前記ホース内への挿入のために構成される、請求項１に記載のコネクタアセンブリ。
【請求項１１】
前記雌型連結器はその内表面に配置された切欠きを有し、前記雄型連結器は、その外表面から延在するタブを有し、前記雌型連結器および前記雄型連結器が結合されると、前記タブは前記雌型および雄型連結器の間の回転運動を妨げるために前記切欠きに挿入される、請求項１に記載のコネクタアセンブリ。
【請求項１２】
前記第１の流体通路内に配置された軸受筒をさらに備え、前記軸受筒は、前記雌型連結器への前記雄型連結器の挿入を容易にする、請求項１に記載のコネクタアセンブリ。
【請求項１３】
前記第１の流体通路内に配置されたｏ−リングをさらに備え、前記ｏ−リングは、前記雌型連結器および前記雄型連結器が結合されると、前記雌型および雄型連結器の間に封止を形成する、請求項１に記載のコネクタアセンブリ。
【請求項１４】
コネクタアセンブリであって、
第１の端部および第２の端部を有し、かつ第１および第２の端部の間に延在する第１の流体通路を有する第１の連結器を備え、前記第２の端部は第１の導管に嵌合するように構成され、前記第１の連結器は前記第１の流体通路に対して開いているスロットを有し、前記第１の連結器は、前記第１の連結器の外表面に配置された第１の保持装置フランジを有し、前記第１の連結器は、前記外表面に配置された第２の保持装置フランジを有し、前記第１の保持装置フランジは、前記第２の保持装置フランジよりも前記第１の端部に近い、前記外表面上のある軸方向位置に配置され、前記第１の保持装置フランジは、前記第２の保持装置フランジよりも径方向外側に大きく延在し、
さらに、第１の端部および第２の端部を有し、かつその第１および第２の端部の間に延在する第２の流体通路を有する第２の連結器を備え、前記第２の連結器の前記第２の端部は第２の導管に嵌合するように構成され、前記第２の連結器は溝を有し、さらに、
前記第１の連結器によって担持された保持装置を備え、前記保持装置は、前記第１の連結器の前記スロットを通って延在可能な第１の部分を有し、
前記第１の連結器および前記第２の連結器が結合され、前記第１および第２の流体通路が互いに連通すると、前記スロットおよび前記溝は互いに整列され、前記保持装置の前記部分は前記スロットを通って延在され、前記第１および第２の連結器の分離を阻止するために前記第２の連結器の前記溝内に収容され、前記保持装置の第２の部分は前記第１および第２の保持装置フランジの間に固定され、前記第２の部分は、前記第１の保持装置フランジの径方向外側端部の径方向内側に位置する、コネクタアセンブリ。
【請求項１５】
前記第１の連結器は雌型連結器であり、前記第２の連結器は雄型連結器であり、前記第１の連結器および前記第２の連結器が結合され、前記第１および第２の流体通路が互いに連通すると、前記雄型連結器の前記第１の端部は前記雌型連結器の前記第１の端部に挿入される、請求項１４に記載のコネクタアセンブリ。
【請求項１６】
前記第１の連結器はその中に配置された第２のスロットを有し、前記第２のスロットは前記第１の流体通路に対して開いており、前記保持装置は、第１の脚部と第２の脚部とを有する線バネであり、前記第１の脚部または前記第２の脚部は、前記第２の連結器の前記溝内に収容可能な前記保持装置の前記第１の部分を構成し、前記線バネは、前記第１および第２の脚部が前記第２の連結器の前記溝内に収容されていない第１の位置と、ｉ）前記第１および第２の脚部が前記第１の流体通路に関して内方に変位され、ｉｉ）前記第１および第２の脚部が前記第１および第２のスロットを通ってそれぞれ延在し、ｉｉｉ）前記第１および第２の脚部が前記第２の連結器の前記溝内に収容される第２の位置と、の間で移動可能である、請求項１４に記載のコネクタアセンブリ。
【請求項１７】
前記線バネは前記第１および第２の脚部の間に延在するブリッジを有し、前記ブリッジは、前記保持装置の前記第２の部分を構成し、前記ブリッジは、前記第１の流体通路の外部に配置され、かつ前記線バネが前記第１の位置にあり前記線バネが前記第２の位置にあるときユーザによって外部から接触可能であり、前記線バネが前記第２の位置に移動されると、前記ブリッジは前記第１の流体通路に向かう方向に移動される、請求項１６に記載のコネクタアセンブリ。
【請求項１８】
前記第２の連結器はその外表面に配置され、かつ前記第２の連結器の前記第１の端部に関して前記溝の前方に位置決めされた面取り部を有し、前記第１の連結器および前記第２の連結器が結合されると、前記保持装置の前記第１の部分は前記面取り部上に乗り、前記第１および第２の連結器の分離を阻止するために前記溝内に収容される、請求項１４に記載のコネクタアセンブリ。
【請求項１９】
コネクタアセンブリであって、 
第１の端部および第２の端部を有し、かつ第１および第２の端部の間に延在する第１の流体通路を有する第１の連結器を備え、前記第２の端部は第１の導管に嵌合するように構成され、前記第１の連結器はスロットを有し、さらに、 
第１の端部および第２の端部を有し、かつその第１および第２の端部の間に延在する第２の流体通路を有する第２の連結器を備え、前記第２の連結器の前記第２の端部は第２の導管に嵌合するように構成され、前記第２の連結器は溝を有し、その外表面に配置され、かつ前記第２の連結器の前記第１の端部に関して前記溝の前方に位置決めされた面取り部を有し、さらに、
前記第１の連結器の少なくとも一部の周りに外部から担持される線バネを備え、前記線バネは、前記第１の連結器の前記スロットを通って延在可能でありかつ前記第２の連結器の前記溝内に収容可能な脚部を有し、
前記第１および第２の連結器が結合され、前記第１および第２の流体通路が互いに連通する第１の状況において、前記線バネの前記脚部は、ｉ）前記第１の連結器の前記スロットを通って延在され、ｉｉ）前記第２の連結器の前記面取り部の上に乗り、ｉｉｉ）前記第１および第２の連結器の分離を阻止するために前記第２の連結器の前記溝内に収容され、前記第１および第２の連結器が結合され、前記第１および第２の流体通路が互いに連通する第２の状況において、前記線バネは、前記線バネの前記脚部が前記第１の流体通路の外部に配置され、前記脚部が前記第２の連結器の前記溝内に収容されていない第１の位置から、前記線バネの前記脚部が前記第１の連結器の前記スロットを通って延在され、前記第１および第２の連結器の分離を阻止するために前記第２の連結器の前記溝内に収容される第２の位置に移動される、コネクタアセンブリ。
【請求項２０】
前記第１の流体通路はその中に形成された環状のリッジ部を有し、前記軸受筒は前記環状のリッジ部と相補的に形作られた環状の溝を有し、前記環状のリッジ部は前記環状の溝と噛合い、前記雌型および雄型連結器が離されたときに、前記軸受筒を前記第１の流体通路内に保持するのを助ける、請求項１２に記載のコネクタアセンブリ。
【請求項２１】
コネクタアセンブリであって、
第１の端部および第２の端部を有する雌型連結器を備え、前記第２の端部は第１の導管に嵌合するように構成され、前記雌型連結器は、前記第１および第２の端部の間に延在する第１の流体通路も有し、前記雌型連結器は、その外表面に配置された第１の保持装置フランジを有し、前記外表面に配置された第２の保持装置フランジを有し、さらに、
前記雌型連結器によって担持された保持装置を備え、前記保持装置は、前記第１の流体通路内に配置可能な第１の部分を有し、かつ第２の部分を有し、さらに、
前記雌型連結器の前記第１の端部に挿入可能な第１の端部を有する雄型連結器を備え、前記雄型連結器は、第２の導管に嵌合するように構成された第２の端部を有し、前記雄型連結器は、その第１および第２の端部の間に延在する第２の流体通路を有し、前記雄型連結器は溝を有し、
前記雌型連結器および前記雄型連結器が結合され、前記第１および第２の流体通路が互いに連通すると、前記保持装置の前記第１の部分は、前記雄型および雌型連結器の分離を阻止するために前記雄型連結器の前記溝内に収容され、前記第２の部分は前記第１および第２の保持装置フランジの間に固定され、前記第２の部分は前記第１の保持装置フランジの径方向外側端部の径方向内側に位置し、前記第２の部分は、前記コネクタアセンブリの使用中に前記第１の保持装置フランジによって誤まって固定から取外されないように保護される、コネクタアセンブリ。
【国際調査報告】
2013534993.tif 000024
2013534993.tif 000025